(57)【要約】【課題】  ＳＣＣＰＣＨだけの場合に比べて、より正確な受信状況を上位装置に通知可能な移動機を提供する。【解決手段】  移動機３の受信品質情報生成部３７は基地局から送信されたＥ−ＡＧＣＨのＣＲＣ判定結果とＦＡＣＨのＣＲＣ判定結果とをＲＮＣに通知し、受信状況が良好と判断された場合にＳＣＣＰＣＨの送信電力を下げる方向に動作させ、それ以外であれば送信電力を上げる方向に動作させる。この時、受信品質情報生成部３７ではＣＲＣ判定処理部３５にて取得したＣＲＣ判定結果とＰｉｌｏｔ判定処理部３４で取得したパイロット受信情報とを活用する。受信品質情報生成部３７では、セカンダリィＥ−ＲＮＴＩでＥ−ＡＧＣＨを受信した場合、パイロット判定した結果のみを使用して品質情報を生成してＲＮＣに通知する。【選択図】      図１
2008283321.tif 000002
【特許請求の範囲】
【請求項１】
ＥＵＤＣＨ（Ｅｎｈａｎｃｅｄ  Ｕｐｌｉｎｋ  Ｄｅｄｉｃａｔｅｄ  Ｃｈａｎｎｅｌ）で使用される基地局から移動機への下り方向の共通チャネルＥ−ＡＧＣＨ［Ｅ−ＤＣＨ（Ｅｎｈａｎｃｅｄ  Ｄｅｄｉｃａｔｅｄ  Ｃｈａｎｎｅｌ）  Ａｂｓｏｌｕｔｅ  Ｇｒａｎｔ  Ｃｈａｎｎｅｌ］にてＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）用のＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）の送信電力を制御し、前記ＭＢＭＳ用のＳＣＣＰＣＨを使用して複数の移動機へ同じデータを同時に送信する移動体通信システムであって、
前記移動機は、前記下り方向の共通チャネルＥ−ＡＧＣＨの受信状況と前記ＭＢＭＳ用のＳＣＣＰＣＨの受信状況とを監視する手段と、その監視結果をトラヒック情報として上位装置に報告する手段とを有し、
前記上位装置は、当該トラヒック情報を基に前記ＭＢＭＳ用のＳＣＣＰＣＨの送信電力を制御することを特徴とする移動体通信システム。
【請求項２】
前記移動機は、前記ＭＢＭＳ用のＳＣＣＰＣＨを用いて送信されるデータであるＦＡＣＨ（Ｆｏｒｗａｒｄ  Ａｃｃｅｓｓ  Ｃｈａｎｎｅｌ）の受信状況を監視するとともに、前記Ｅ−ＡＧＣＨの受信状況を考慮した受信品質情報を前記上位装置にフィードバックし、前記上位装置にて前記ＦＡＣＨの送信電力制御を行うことを特徴とする請求項１記載の移動体通信システム。
【請求項３】
前記移動機は、受信した前記Ｅ−ＡＧＣＨのＣＲＣ（Ｃｙｃｌｉｃ  Ｒｅｄｕｎｄａｎｃｙ  Ｃｈｅｃｋ）ビットのＯＫ／ＮＧ判定情報を使用しかつ前記ＦＡＣＨ自体の受信状況とあわせて下り受信品質を監視し、その監視情報を前記上位装置にフィードバックすることを特徴とする請求項２記載の移動体通信システム。
【請求項４】
前記上位装置は、
前記Ｅ−ＡＧＣＨのＣＲＣ結果が良好かつ前記ＳＣＣＰＣＨのパイロット受信環境が良好の場合に前記ＦＡＣＨの送信電力を所定量だけ下げ、
前記Ｅ−ＡＧＣＨのＣＲＣ結果が良好かつ前記ＳＣＣＰＣＨのパイロット受信環境が悪い場合に前記ＦＡＣＨのＣＲＣ結果が良好でも当該ＦＡＣＨの送信電力の変更を行わず、
前記ＦＡＣＨのＣＲＣ結果が悪くなる傾向が見えた場合に当該ＦＡＣＨの送信電力を上げることを特徴とする請求項３記載の移動体通信システム。
【請求項５】
ＥＵＤＣＨ（Ｅｎｈａｎｃｅｄ  Ｕｐｌｉｎｋ  Ｄｅｄｉｃａｔｅｄ  Ｃｈａｎｎｅｌ）で使用される基地局からの下り方向の共通チャネルＥ−ＡＧＣＨ［Ｅ−ＤＣＨ（Ｅｎｈａｎｃｅｄ  Ｄｅｄｉｃａｔｅｄ  Ｃｈａｎｎｅｌ）  Ａｂｓｏｌｕｔｅ  Ｇｒａｎｔ  Ｃｈａｎｎｅｌ］にてＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）用のＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）の送信電力を制御し、前記ＭＢＭＳ用のＳＣＣＰＣＨにて他の移動機とともに同じデータを同時に受信する移動機であって、
前記下り方向の共通チャネルＥ−ＡＧＣＨの受信状況と前記ＭＢＭＳ用のＳＣＣＰＣＨの受信状況とを監視する手段と、その監視結果を上位装置が前記ＭＢＭＳ用のＳＣＣＰＣＨの送信電力を制御するためのトラヒック情報として前記上位装置に報告する手段とを有することを特徴とする移動機。
【請求項６】
前記ＭＢＭＳ用のＳＣＣＰＣＨを用いて送信されるデータであるＦＡＣＨ（Ｆｏｒｗａｒｄ  Ａｃｃｅｓｓ  Ｃｈａｎｎｅｌ）の受信状況を監視するとともに、前記Ｅ−ＡＧＣＨの受信状況を考慮した受信品質情報を前記上位装置にフィードバックすることで、前記上位装置にて前記ＦＡＣＨの送信電力制御が行われることを特徴とする請求項５記載の移動機。
【請求項７】
受信した前記Ｅ−ＡＧＣＨのＣＲＣ（Ｃｙｃｌｉｃ  Ｒｅｄｕｎｄａｎｃｙ  Ｃｈｅｃｋ）ビットのＯＫ／ＮＧ判定情報を使用しかつ前記ＦＡＣＨ自体の受信状況とあわせて下り受信品質を監視し、その監視情報を前記上位装置にフィードバックすることを特徴とする請求項６記載の移動機。
【請求項８】
ＥＵＤＣＨ（Ｅｎｈａｎｃｅｄ  Ｕｐｌｉｎｋ  Ｄｅｄｉｃａｔｅｄ  Ｃｈａｎｎｅｌ）で使用される基地局から移動機への下り方向の共通チャネルＥ−ＡＧＣＨ［Ｅ−ＤＣＨ（Ｅｎｈａｎｃｅｄ  Ｄｅｄｉｃａｔｅｄ  Ｃｈａｎｎｅｌ）  Ａｂｓｏｌｕｔｅ  Ｇｒａｎｔ  Ｃｈａｎｎｅｌ］にてＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）用のＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）の送信電力を制御し、前記ＭＢＭＳ用のＳＣＣＰＣＨを使用して複数の移動機へ同じデータを同時に送信する移動体通信システムに用いる送信電力制御方法であって、
前記移動機が、前記下り方向の共通チャネルＥ−ＡＧＣＨの受信状況と前記ＭＢＭＳ用のＳＣＣＰＣＨの受信状況とを監視する処理と、その監視結果をトラヒック情報として上位装置に報告する処理とを実行し、
前記上位装置が、当該トラヒック情報を基に前記ＭＢＭＳ用のＳＣＣＰＣＨの送信電力を制御することを特徴とする送信電力制御方法。
【請求項９】
前記移動機が、前記ＭＢＭＳ用のＳＣＣＰＣＨを用いて送信されるデータであるＦＡＣＨ（Ｆｏｒｗａｒｄ  Ａｃｃｅｓｓ  Ｃｈａｎｎｅｌ）の受信状況を監視するとともに、前記Ｅ−ＡＧＣＨの受信状況を考慮した受信品質情報を前記上位装置にフィードバックし、前記上位装置にて前記ＦＡＣＨの送信電力制御を行うことを特徴とする請求項８記載の送信電力制御方法。
【請求項１０】
前記移動機が、受信した前記Ｅ−ＡＧＣＨのＣＲＣ（Ｃｙｃｌｉｃ  Ｒｅｄｕｎｄａｎｃｙ  Ｃｈｅｃｋ）ビットのＯＫ／ＮＧ判定情報を使用しかつ前記ＦＡＣＨ自体の受信状況とあわせて下り受信品質を監視し、その監視情報を前記上位装置にフィードバックすることを特徴とする請求項９記載の送信電力制御方法。
【請求項１１】
前記上位装置が、前記Ｅ−ＡＧＣＨのＣＲＣ結果が良好かつ前記ＳＣＣＰＣＨのパイロット受信環境が良好の場合に前記ＦＡＣＨの送信電力を所定量だけ下げ、前記Ｅ−ＡＧＣＨのＣＲＣ結果が良好かつ前記ＳＣＣＰＣＨのパイロット受信環境が悪い場合に前記ＦＡＣＨのＣＲＣ結果が良好でも当該ＦＡＣＨの送信電力の変更を行わず、前記ＦＡＣＨのＣＲＣ結果が悪くなる傾向が見えた場合に当該ＦＡＣＨの送信電力を上げることを特徴とする請求項１０記載の送信電力制御方法。
【請求項１２】
ＥＵＤＣＨ（Ｅｎｈａｎｃｅｄ  Ｕｐｌｉｎｋ  Ｄｅｄｉｃａｔｅｄ  Ｃｈａｎｎｅｌ）で使用される基地局から移動機への下り方向の共通チャネルＥ−ＡＧＣＨ［Ｅ−ＤＣＨ（Ｅｎｈａｎｃｅｄ  Ｄｅｄｉｃａｔｅｄ  Ｃｈａｎｎｅｌ）  Ａｂｓｏｌｕｔｅ  Ｇｒａｎｔ  Ｃｈａｎｎｅｌ］にてＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）用のＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）の送信電力を制御し、前記ＭＢＭＳ用のＳＣＣＰＣＨを使用して複数の移動機へ同じデータを同時に送信する移動体通信システムにおいて前記移動機内のコンピュータに実行させるためのプログラムであって、
前記下り方向の共通チャネルＥ−ＡＧＣＨの受信状況と前記ＭＢＭＳ用のＳＣＣＰＣＨの受信状況とを監視する処理と、その監視結果を上位装置が前記ＭＢＭＳ用のＳＣＣＰＣＨの送信電力を制御するためのトラヒック情報として前記上位装置に報告する処理とを含むことを特徴とするプログラム。
【発明の詳細な説明】
【技術分野】
【０００１】
本発明は移動体通信システム、移動機及びそれに用いる送信電力制御方法並びにそのプログラムに関し、特にＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）用のＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）の送信電力を制御する方法に関する。
【背景技術】
【０００２】
ＭＢＭＳは、複数のユーザ（Ｕｓｅｒ）に同一のデータを送信する際に、基地局内の無線リソースを複数のユーザで同時に共有する技術である。ここでいう無線リソースとは、送信電力、拡散コード、周波数サブキャリア等を示す。ＭＢＭＳにおいて、複数の移動機に対して同時に同じデータを送信するためのチャネルとして、現在のＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）移動通信方式で使用されているＳＣＣＰＣＨが挙げられる。
【０００３】
現在、ＳＣＣＰＣＨは、下り方向の共通チャネルで、ページング信号や上位レイヤのデータ送信のために使用されている。また、従来の個別チャネルＤＰＣＨ（Ｄｅｄｉｃａｔｅｄ  Ｐｈｙｓｉｃａｌ  Ｃｈａｎｎｅｌ）に加え、上り無線リンクのパケットサービスの高速技術化として、ＥＵＤＣＨ（Ｅｎｈａｎｃｅｄ  Ｕｐｌｉｎｋ  Ｄｅｄｉｃａｔｅｄ  Ｃｈａｎｎｅｌ）［もしくはＨＳＵＰＡ（Ｈｉｇｈ  Ｓｐｅｅｄ  Ｕｐｌｉｎｋ  Ｐａｃｋｅｔ  Ａｃｃｅｓｓ）とも呼ばれる］も実用化に向けて試験が実施されており（例えば、特許文献１，２参照）、今後、ＭＢＭＳとＥＵＤＣＨとがシステム内に共存し、基地局内の同じ無線リソースを共有して提供される可能性が高い。
【０００４】
ＭＢＭＳは、移動機が増えた場合でも、無線回線に対する負荷を増やすことなく、情報受信できる移動機を増加させることができるという利点があるが、ＳＣＣＰＣＨでは個別チャネルのような送信電力制御が行われておらず、セル内に存在する移動機の位置に関わらず、セル境界まで届くような大きな一定の送信電力で送信されている。基地局と移動機との間には、ＭＢＭＳ用のＳＣＣＰＣＨの他に、通常の音声や個別制御情報の伝送等を行うＤＰＣＨ（Ｄｅｄｉｃａｔｅｄ  Ｐｈｙｓｉｃａｌ  Ｃｈａｎｎｅｌ）も存在するため、基地局近傍に位置する移動機に対しての過剰な受信品質や他セルへの干渉が懸念される。
【０００５】
【特許文献１】特開２００６−２７９２９９号公報
【特許文献２】特開２００６−３４５４０１号公報
【発明の開示】
【発明が解決しようとする課題】
【０００６】
上述した従来の送信電力制御方法では、ＳＣＣＰＣＨの場合、個別チャネルのような送信電力制御が行われておらず、セル内に存在する移動機の位置に関わらず、セル境界まで届くような大きな一定の送信電力で送信されている。ＭＢＭＳが行われるようになっても、基地局と移動機との間には、ＭＢＭＳ用のＳＣＣＰＣＨの他に、通常の音声や個別制御情報の伝送等を行うＤＰＣＨも存在するため、基地局近傍に位置する移動機に対しての過剰な受信品質や他セルへの干渉が懸念される。
【０００７】
そこで、本発明の目的は上記の問題点を解消し、ＳＣＣＰＣＨだけの場合に比べて、より正確な受信状況を上位装置に通知することができる移動体通信システム、移動機及びそれに用いる送信電力制御方法並びにそのプログラムを提供することにある。
【課題を解決するための手段】
【０００８】
本発明による移動体通信システムは、ＥＵＤＣＨ（Ｅｎｈａｎｃｅｄ  Ｕｐｌｉｎｋ  Ｄｅｄｉｃａｔｅｄ  Ｃｈａｎｎｅｌ）で使用される基地局から移動機への下り方向の共通チャネルＥ−ＡＧＣＨ［Ｅ−ＤＣＨ（Ｅｎｈａｎｃｅｄ  Ｄｅｄｉｃａｔｅｄ  Ｃｈａｎｎｅｌ）  Ａｂｓｏｌｕｔｅ  Ｇｒａｎｔ  Ｃｈａｎｎｅｌ］にてＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）用のＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）の送信電力を制御し、前記ＭＢＭＳ用のＳＣＣＰＣＨを使用して複数の移動機へ同じデータを同時に送信する移動体通信システムであって、
移動機は、下り方向の共通チャネルＥ−ＡＧＣＨの受信状況とＭＢＭＳ用のＳＣＣＰＣＨの受信状況とを監視する手段と、その監視結果をトラヒック情報として上位装置に報告する手段とを備え、
当該上位装置は、そのトラヒック情報を基にＭＢＭＳ用のＳＣＣＰＣＨの送信電力を制御している。
【０００９】
本発明による移動機は、ＥＵＤＣＨ（Ｅｎｈａｎｃｅｄ  Ｕｐｌｉｎｋ  Ｄｅｄｉｃａｔｅｄ  Ｃｈａｎｎｅｌ）で使用される基地局からの下り方向の共通チャネルＥ−ＡＧＣＨ［Ｅ−ＤＣＨ（Ｅｎｈａｎｃｅｄ  Ｄｅｄｉｃａｔｅｄ  Ｃｈａｎｎｅｌ）  Ａｂｓｏｌｕｔｅ  Ｇｒａｎｔ  Ｃｈａｎｎｅｌ］にてＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）用のＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）の送信電力を制御し、ＭＢＭＳ用のＳＣＣＰＣＨにて他の移動機とともに同じデータを同時に受信する移動機であって、
下り方向の共通チャネルＥ−ＡＧＣＨの受信状況とＭＢＭＳ用のＳＣＣＰＣＨの受信状況とを監視する手段と、その監視結果を上位装置がＭＢＭＳ用のＳＣＣＰＣＨの送信電力を制御するためのトラヒック情報として当該上位装置に報告する手段とを備えている。
【００１０】
本発明による送信電力制御方法は、ＥＵＤＣＨ（Ｅｎｈａｎｃｅｄ  Ｕｐｌｉｎｋ  Ｄｅｄｉｃａｔｅｄ  Ｃｈａｎｎｅｌ）で使用される基地局から移動機への下り方向の共通チャネルＥ−ＡＧＣＨ［Ｅ−ＤＣＨ（Ｅｎｈａｎｃｅｄ  Ｄｅｄｉｃａｔｅｄ  Ｃｈａｎｎｅｌ）  Ａｂｓｏｌｕｔｅ  Ｇｒａｎｔ  Ｃｈａｎｎｅｌ］にてＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）用のＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）の送信電力を制御し、前記ＭＢＭＳ用のＳＣＣＰＣＨを使用して複数の移動機へ同じデータを同時に送信する移動体通信システムに用いる送信電力制御方法であって、
移動機が、下り方向の共通チャネルＥ−ＡＧＣＨの受信状況とＭＢＭＳ用のＳＣＣＰＣＨの受信状況とを監視する処理と、その監視結果をトラヒック情報として上位装置に報告する処理とを実行し、
当該上位装置が、そのトラヒック情報を基にＭＢＭＳ用のＳＣＣＰＣＨの送信電力を制御している。
【００１１】
本発明によるプログラムは、ＥＵＤＣＨ（Ｅｎｈａｎｃｅｄ  Ｕｐｌｉｎｋ  Ｄｅｄｉｃａｔｅｄ  Ｃｈａｎｎｅｌ）で使用される基地局から移動機への下り方向の共通チャネルＥ−ＡＧＣＨ［Ｅ−ＤＣＨ（Ｅｎｈａｎｃｅｄ  Ｄｅｄｉｃａｔｅｄ  Ｃｈａｎｎｅｌ）  Ａｂｓｏｌｕｔｅ  Ｇｒａｎｔ  Ｃｈａｎｎｅｌ］にてＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）用のＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）の送信電力を制御し、ＭＢＭＳ用のＳＣＣＰＣＨを使用して複数の移動機へ同じデータを同時に送信する移動体通信システムにおいて移動機内のコンピュータに実行させるためのプログラムであって、
下り方向の共通チャネルＥ−ＡＧＣＨの受信状況とＭＢＭＳ用のＳＣＣＰＣＨの受信状況とを監視する処理と、その監視結果を上位装置がＭＢＭＳ用のＳＣＣＰＣＨの送信電力を制御するためのトラヒック情報として当該上位装置に報告する処理とを含むことを特徴とする。
【発明の効果】
【００１２】
本発明は、上記のような構成及び動作とすることで、ＳＣＣＰＣＨだけの場合に比べて、より正確な受信状況を上位装置に通知することができるという効果が得られる。
【発明を実施するための最良の形態】
【００１３】
次に、本発明の実施例について図面を参照して説明する。図１は本発明の一実施例による移動体通信システムの構成を示すブロック図である。図１においては、本発明の一実施例による移動体通信システムとして、ＥＵＤＣＨ（Ｅｎｈａｎｃｅｄ  Ｕｐｌｉｎｋ  Ｄｅｄｉｃａｔｅｄ  Ｃｈａｎｎｅｌ）とＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）とを実施している移動体通信システムの構成を示している。
【００１４】
すなわち、本発明の一実施例による移動体通信システムは、ＥＵＤＣＨ（Ｅｎｈａｎｃｅｄ  Ｕｐｌｉｎｋ  Ｄｅｄｉｃａｔｅｄ  Ｃｈａｎｎｅｌ）技術仕様に規定されている下り方向の共通チャネルＥ−ＡＧＣＨ［Ｅ−ＤＣＨ（Ｅｎｈａｎｃｅｄ  Ｄｅｄｉｃａｔｅｄ  Ｃｈａｎｎｅｌ）  Ａｂｓｏｌｕｔｅ  Ｇｒａｎｔ  Ｃｈａｎｎｅｌ］にてＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）用のＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）（ＦＡＣＨ：Ｆｏｒｗａｒｄ  Ａｃｃｅｓｓ  Ｃｈａｎｎｅｌ）の送信電力を制御している。
【００１５】
本発明の一実施例による移動体通信システムでは、ＥＵＤＣＨ技術仕様に規定されている下り方向の共通チャネルＥ−ＡＧＣＨの受信状況及びＭＢＭＳ用共通チャネルＳＣＣＰＣＨの受信状況をモニタすることで、ＳＣＣＰＣＨの送信電力を制御する方法を実現している。
【００１６】
図１において、本発明の一実施例による移動体通信システムは、上位装置としてＲＮＣ（Ｒａｄｉｏ  Ｎｅｔｗｏｒｋ  Ｃｏｎｔｒｏｌｌｅｒ）１と、基地局２と、移動機３とから構成されている。
【００１７】
ＲＮＣ１は基地局２と接続される（Ｉｕｂ）。基地局２では、複数の移動機３へ同じデータを同時に送信するために使用されるＭＢＭＳ用の下り共通チャネルとしてＳＣＣＰＣＨ（ＦＡＣＨ）／ＭＩＣＨ（ＭＢＭＳ  Ｎｏｔｉｆｉｃａｔｉｏｎ  Ｉｎｄｉｃａｔｏｒ  Ｃｈａｎｎｅｌ）を、ＭＢＭＳ及びＥＵＤＣＨのサービスを受けていない複数の移動機それぞれに対して個別に割り当てられるチャネルをＤＰＣＨ（Ｄｅｄｉｃａｔｅｄ  Ｐｈｙｓｉｃａｌ  Ｃｈａｎｎｅｌ）［ＤＰＤＣＨ（Ｄｅｄｉｃａｔｅｄ  Ｐｈｙｓｉｃａｌ  Ｄａｔａ  Ｃｈａｎｎｅｌ）／ＤＰＣＣＨ（Ｄｅｄｉｃａｔｅｄ  Ｐｈｙｓｉｃａｌ  Ｃｏｎｔｒｏｌ  Ｃｈａｎｎｅｌ）］として説明する。
【００１８】
本実施例では、ＳＣＣＰＣＨの送信電力に関する制御を行うため、ＭＩＣＨの動作については特に言及しない。また、既存物理チャネル［ＣＰＩＣＨ（Ｃｏｍｍｏｎ  Ｐｉｌｏｔ  Ｃｈａｎｎｅｌ）、ＰＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ）、ＳＣＣＰＣＨ／ＰＩＣＨ（Ｐａｇｉｎｇ  Ｉｎｄｉｃａｔｏｒ  Ｃｈａｎｎｅｌ）、ＰＲＡＣＨ（Ｐｈｙｓｉｃａｌ  Ｒａｎｄｏｍ  Ａｃｃｅｓｓ  Ｃｈａｎｎｅｌ）］については、“Ｐｈｙｓｉｃａｌ  ｃｈａｎｎｅｌｓ  ａｎｄ  ｍａｐｐｉｎｇ  ｏｆ  ｔｒａｎｓｐｏｒｔ  ｃｈａｎｎｅｌｓ  ｏｎｔｏ  ｐｈｙｓｉｃａｌ  ｃｈａｎｎｅｌｓ（ＦＤＤ）”［３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ−２５．２１１  Ｖ７．０．０（２００６−０３）］（非特許文献１）に記載されているので、その説明を省略する。
【００１９】
Ｓｅｒｖｉｎｇ  Ｅ−ＤＣＨ（Ｅｎｈａｎｃｅｄ  Ｄｅｄｉｃａｔｅｄ  Ｃｈａｎｎｅｌ）  Ｃｅｌｌ（Ｅ−ＤＰＤＣＨの送信電力等の制御を行うセル）である基地局２と移動機３との間には、図１に示すように、ＥＵＤＣＨ用物理チャネルが使用される。
【００２０】
ＥＵＤＣＨをサポートする場合には、ユーザデータを送信するための物理チャネルであるＥ−ＤＰＤＣＨ（Ｅ−ＤＣＨ  Ｄｅｄｉｃａｔｅｄ  Ｐｈｙｓｉｃａｌ  Ｄａｔａ  Ｃｈａｎｎｅｌ）、基地局２がスケジューリングで必要とする情報及びＥ−ＤＰＤＣＨ復号に必要な制御情報を通知する物理チャネルであるＥ−ＤＰＣＣＨ（Ｅ−ＤＣＨ  Ｄｅｄｉｃａｔｅｄ  Ｐｈｙｓｉｃａｌ  Ｃｏｎｔｒｏｌ  Ｃｈａｎｎｅｌ）、基地局２が移動機３に許される最大送信電力の情報等を制御する物理チャネルであるＥ−ＡＧＣＨ（Ｅ−ＤＣＨ  Ａｂｓｏｌｕｔｅ  Ｇｒａｎｔ  Ｃｈａｎｎｅｌ）、Ｅ−ＤＰＤＣＨのＨＡＲＱ（Ｈｙｂｒｉｄ  Ａｕｔｏｍａｔｉｃ  Ｒｅｐｅａｔ  ｒｅＱｕｅｓｔ）制御をするために使用するＨＡＲＱ  ＡＣＫ／ＮＡＣＫ情報を通知する物理チャネルであるＥ−ＨＩＣＨ（Ｅ−ＤＣＨ  Ｈｙｂｒｉｄ  ＡＲＱ  Ｉｎｄｉｃａｔｏｒ  Ｃｈａｎｎｅｌ）、移動機３に許可する最大送信レートのＵｐ／Ｄｏｗｎを相対的に示すための情報を通知する物理チャネルであるＥ−ＲＧＣＨ（Ｅ−ＤＣＨ  Ｒｅｌａｔｉｖｅ  Ｇｒａｎｔ  Ｃｈａｎｎｅｌ）の４種類が定義されている。
【００２１】
図２は図１に示すＲＮＣ１及び基地局２の構成を示すブロック図である。図２において、ＲＮＣ１は、無線トラヒック情報取得部１１と、ＦＡＣＨ−ＴＰＬ（Ｔｒａｎｓｍｉｔ  Ｐｏｗｅｒ  Ｌｅｖｅｌ：送信電力オフセット）決定部１２と、ＦＡＣＨデータ送信部１３とから構成されている。
【００２２】
また、基地局２は、アンテナ部２０と、ＲＡＣＨ（Ｒａｎｄｏｍ  Ａｃｃｅｓｓ  Ｃｈａｎｎｅｌ）受信部２１と、ＳＣＣＰＣＨ（ＭＢＭＳ）送信部２５とから構成されている。ＲＡＣＨ受信部２１は、受信部（逆拡散処理を含む）２２と、チャネル復号部２３と、上りＩｕｂ送信部２４とから構成され、ＳＣＣＰＣＨ（ＭＢＭＳ）送信部２５は下りＩｕｂ受信部２６と、ＳＣＣＰＣＨ送信電力制御部２７と、チャネル符号化部２８と、送信部（拡散処理を含む）２９とから構成されている。
【００２３】
この図２を参照して下り送信の動作について説明する。
【００２４】
基地局２は、ＲＮＣ１のＦＡＣＨデータ送信部１３からＭＢＭＳ用のＳＣＣＰＣＨを用いて送信されるデータであるＦＡＣＨを受信する。基地局２のＩｕｂ受信部２６にて受信したＦＡＣＨデータは、チャネル符号化部２８にてチャネルコーディング処理され、送信部２９へ引き渡される。この時、入力されたＦＡＣＨのＩｕｂヘッダには、ＳＣＣＰＣＨの下り送信電力のオフセット値を示すＴＰＬフィールドがあり、これによってＳＣＣＰＣＨ（ＦＡＣＨ）の送信電力がＲＮＣ１から制御されている。
【００２５】
ＴＰＬは、上位から指定されたＳＣＣＰＣＨの送信電力［“ＵＴＲＡＮ  ｌｕｂ  ｉｎｔｅｒｆａｃｅ  Ｎｏｄｅ  Ｂ  Ａｐｐｌｉｃａｔｉｏｎ  Ｐａｒｔ（ＮＢＡＰ）  ｓｉｇｎａｌｌｉｎｇ（Ｒｅｌｅａｓｅ  ７）  ９．１．３  ＣＯＭＭＯＮ  ＴＲＡＮＳＰＯＲＴ  ＣＨＡＮＮＥＬ  ＳＥＴＵＰ  ＲＥＱＵＥＳＴ／ＦＡＣＨ  Ｐａｒａｍｅｔｅｒｓ／ＭＡＸ  ＦＡＣＨ  Ｐｏｗｅｒ”（３ＧＰＰ−ＴＳ２５．４３３  Ｖ７．３．０（２００６−１２）］（特許文献２）に対するマイナス側のオフセット量を示す。このＴＰＬの値をＦＡＣＨデータ受信の度に受取ることで、ＳＣＣＰＣＨ送信電力制御部２７にてＳＣＣＰＣＨの送信電力を決定し、決定したＳＣＣＰＣＨの送信電力を送信部２９に通知する。
【００２６】
図４はＦＡＣＨのＨｅａｄｅｒ部及びＰａｙｌｏａｄ部の構成を示す図である。図４においては、Ｉｕｂ  Ｆｒａｍｅとして受信するＦＡＣＨデータのフォーマットを示している。Ｉｕｂ  Ｆｒａｍｅは、Ｈｅａｄｅｒ部とＰａｙｌｏａｄ部とに分かれており、ＴＰＬはＨｅａｄｅｒ部の部分に位置している。Ｉｕｂ  Ｆｒａｍｅについては、“ＵＴＲＡＮ  ｌｕｂ  Ｉｎｔｅｒｆａｃｅ  Ｕｓｅｒ  Ｐｌａｎｅ  Ｐｒｏｔｏｃｏｌｓ  ｆｏｒ  Ｃｏｍｍｏｎ  Ｔｒａｎｓｐｏｒｔ  Ｃｈａｎｎｅｌ  ｄａｔａ  ｓｔｒｅａｍｓ  （Ｒｅｌｅａｓｅ  ５）  ５．１．３  Ｓｅｃｏｎｄａｒｙ−ＣＣＰＣＨ  ｒｅｌａｔｅｄ  Ｔｒａｎｓｐｏｒｔ  Ｃｈａｎｎｅｌ”（３ＧＰＰ−ＴＳ２５．４３５  ｖ５．６．０（２００３−１２）（非特許文献３）に記載されている。
【００２７】
また、移動機３から送信された信号は、アンテナ部２０を経由して受信部２２で復調、逆拡散処理後、チャネル復号部２３で受信部２２から出力された信号を軟判定処理し、Ｉｕｂ送信部２４へ通知する。
【００２８】
本実施例では、ＰＲＡＣＨにて移動機の下り受信品質を通知してもらうことを想定しているが、ＰＲＡＣＨに限らず、例えば、Ｅ−ＤＰＣＣＨ等に情報を多重させても問題ない（本実施例では、下り受信品質情報を上位装置に通知する手段を特に問わないこととする）。
【００２９】
ＲＡＣＨデータ内に多重された下り受信品質情報は、ＲＮＣ１の無線トラヒック情報取得部１１にて収集され、ＦＡＣＨ−ＴＰＬ決定部１２にて次回送信するＦＡＣＨデータのＴＰＬ（送信電力オフセット）が決定される。最後に、ＦＡＣＨデータ送信部１３にＦＡＣＨ−ＴＰＬ決定部１２で決定されたＴＰＬを通知することで、Ｉｕｂ  Ｆｒａｍｅ（ＦＡＣＨ）を生成し、基地局２に送信する。
【００３０】
図３は図１に示す移動機３の構成を示すブロック図である。図３において、移動機３は、アンテナ部３０と、下りデータ受信部３１と、受信品質情報生成部３７と、上りデータ送信部３８とから構成されている。下りデータ受信部３１は、受信部３２と、チャネル復号部３３と、Ｐｉｌｏｔ判定処理（ＳＣＣＰＣＨ）部３４と、ＣＲＣ判定処理［ＳＣＣＰＣＨ（ＦＡＣＨ）とＥ−ＡＧＣＨ］部３５と、Ｅ−ＡＧＣＨ処理部３６とを備え、上りデータ送信部３８は、ＲＡＣＨデータ生成部３９と、チャネル符号化部４０と、送信部４１とを備えている。
【００３１】
次に、図３を参照して移動機３の受信及び送信動作について説明する。
【００３２】
基地局２から送信された信号は、アンテナ部３０を経由して受信部３２で復調、逆拡散処理後、チャネル復号部３３にてＥ−ＡＧＣＨ及びＳＣＣＰＨＣ（ＦＡＣＨ）の軟判定出力信号を取得する。
【００３３】
Ｅ−ＡＧＣＨのＥ−ＴＴＩ（Ｅ−ＤＣＨ  Ｔｒａｎｓｍｉｔ  Ｔｉｍｅ  Ｉｎｔｅｒｖａｌ）は２ｍｓ［サブ（Ｓｕｂ）フレームと呼ぶ］と１０ｍｓとがある（Ｅ−ＴＴＩは上位より指定され、ＴＴＩ＝１０ｍｓ時には、同じ情報がＥ−ＡＧＣＨ無線フレームの全てのサブフレームに送信される）。１Ｆｒａｍｅ（１０ｍｓ）であれば、最大５回受信することになるため、そのＣＲＣ判定をＣＲＣ判定処理部３５にて実施し、そのＣＲＣ判定の結果を受信品質情報生成部３７に通知する。
【００３４】
また、ＭＢＭＳ用のＳＣＣＰＣＨ（ＦＡＣＨ）についても、受信するＦＡＣＨデータにＣＲＣビットが付与されていることに注目し、データあり時にはＣＲＣ判定処理部３５にてＣＲＣ判定を行い、そのＣＲＣ判定の結果を受信品質情報生成部３７に通知する。
【００３５】
受信品質情報生成部３７では、得られたＥ−ＡＧＣＨ及びＦＡＣＨのＣＲＣ判定結果を予め決められた周期内（Ｔ）で集計し、受信品質情報（ＣＲＣ−ＮＧカウント情報）を生成する。その後、ＲＡＣＨデータ生成部３９にてＲＡＣＨデータに品質情報を挿入し、チャネル符号化部４０にてＰＲＡＣＨ符号化を行い、送信部４１にて送信（拡散処理を含む）を行う。
【００３６】
受信品質情報生成部３７では以下のような制御が行われる。つまり、基地局２から送信されたＥ−ＡＧＣＨのＣＲＣ判定結果とＦＡＣＨのＣＲＣ判定結果とをＲＮＣ１に通知し、受信状況が良好と判断された場合にＳＣＣＰＣＨの送信電力を下げる方向に動作させ、それ以外であれば送信電力を上げる方向に動作させる。これによって、本実施例では、移動機３の受信状態に応じて送信電力を制御することとなる。
【００３７】
この時、受信品質情報生成部３７ではＣＲＣ判定処理部３５にて取得したＣＲＣ判定結果とＰｉｌｏｔ判定処理部３４で取得したＰｉｌｏｔ受信情報とを活用する。Ｅ−ＡＧＣＨは、符号化時にＣＲＣビットが付加されるが、特定のユーザ（Ｕｓｅｒ）にメッセージを通知するために、ＣＲＣビット列は、さらにＩＤ  Ｓｐｅｃｉｆｉｃにてマスク処理される｛“Ｍｕｌｔｉｐｌｅｘｉｎｇ  ａｎｄ  ｃｈａｎｎｅｌ  ｃｏｄｉｎｇ  （ＦＤＤ）  （Ｒｅｌｅａｓｅ  ７）  ４．１０．２  ＣＲＣ  ａｔｔａｃｈｍｅｎｔ  ｆｏｒ  Ｅ−ＡＧＣＨ”［３ＧＰＰ−ＴＳ２５．２１２  Ｖ７．１．０（２００６−０６）］（非特許文献４）参照｝。
【００３８】
移動機３ではその識別にて自機宛のメッセージかどうかを判断する｛ＩＤ  Ｓｐｅｃｉｆｉｃは、“Ｍｅｄｉｕｍ  Ａｃｃｅｓｓ  Ｃｏｎｔｒｏｌ（ＭＡＣ）  ｐｒｏｔｏｃｏｌ  ｓｐｅｃｉｆｉｃａｔｉｏｎ  （Ｒｅｌｅａｓｅ  ７）  ９．２．５．２．２  Ａｂｓｏｌｕｔｅ  Ｇｒａｎｔ”［３ＧＰＰ−ＴＳ２５．３２１  Ｖ７．４．０（２００７−０３）（非特許文献５）のＥ−ＲＮＴＩ（Ｅ−ＤＣＨ  Ｒａｄｉｏ  Ｎｅｔｗｏｒｋ  Ｔｅｍｐｏｒａｒｙ  Ｉｄｅｎｔｉｆｅｒ）に相当する｝。
【００３９】
また、Ｅ−ＲＮＴＩは、Ｅ−ＤＣＨ設定時に２つのＥ−ＲＮＴＩが設定可能であり、それぞれ１つのプライマリィ（Ｐｒｉｍａｒｙ）Ｅ−ＲＮＴＩとセカンダリィ（Ｓｅｃｏｎｄａｒｙ）Ｅ−ＲＮＴＩとがある。プライマリィＥ−ＲＮＴＩは、ユーザ単位でユニークなＩＤが指定され、セカンダリィＥ−ＲＮＴＩの場合には、あるユーザグループ間（複数の移動機間）で共有されるＩＤが指定される。
【００４０】
移動機３では、セカンダリィＥ−ＲＮＴＩでＥ−ＡＧＣＨを受信した場合、Ｐｉｌｏｔ判定した結果のみを使用して品質情報を生成して上位装置（ＲＮＣ１）に通知する（本来、ＭＢＭＳは複数のユーザで共有される情報のため、特定のユーザの受信品質状態だけで判断しないようにするためである）。
【００４１】
さらに、ＭＢＭＳでは、ＴＴＩが４０，８０ｍｓと長い送信周期が使用されることが想定されているため、瞬時的な電力制御を行う必要がないと考えられる。よって、Ｅ−ＡＧＣＨやＦＡＣＨの受信状況の通知を行うタイミングは、予め決められた長い周期（Ｔ）分集計した時点で（パラメータＴｍａｘは、Ｅ−ＤＣＨ設定時に上位装置から通知されることを前提）、共通チャネルのＰＲＡＣＨ等で上位装置に通知することで対応することができる。本実施例では、このパラメータ（Ｔｍａｘ）によって通知タイミングを調整することができる。
【００４２】
図５は図３に示す移動機３の下りデータ受信部３１及び受信品質情報生成部３７の動作を示すフローチャートである。この図５を参照して、ＳＣＣＰＣＨ（ＦＡＣＨ）の受信品質情報生成部３７の動作について説明する。尚、図５に示す処理は移動機３内において、コンピュータに実行させるプログラムを動作させることで実現可能である。
【００４３】
下りデータ受信部３１の受信部３２では、基地局２から送信されたＥ−ＡＧＣＨ及びＳＣＣＰＣＨ（ＦＡＣＨ）を受信する（図５ステップＳ１）。本実施例においては、説明対象とする物理チャネルをＥ−ＡＧＣＨ及びＳＣＣＰＣＨとし、それ以外の場合の処理についてはその説明を省略する。
【００４４】
下りデータ受信部３１では、受信した物理チャネルがＥ−ＡＧＣＨであった場合、サブフレーム毎にプライマリィ及びセカンダリィＥ−ＲＮＴＩにてＣＲＣビットのマスク処理を外し（図５ステップＳ２）、ＣＲＣ判定処理を行う（図５ステップＳ３）。
【００４５】
下りデータ受信部３１では、Ｅ−ＲＮＴＩがセカンダリィＥ−ＲＮＴＩだった場合、複数のユーザで共有されているものと判断し（図５ステップＳ４）、ＣＲＣ  ＯＫ／ＮＧ数をカウントする（図５ステップＳ５）。Ｅ−ＲＮＴＩがプライマリィＥ−ＲＮＴＩの場合には（図５ステップＳ４）、ＣＲＣ結果を反映させず、ＦＡＣＨデータの受信品質のみを使用するように制御する。
【００４６】
サブフレームが４（最終サブフレーム）となった場合には（図５ステップＳ６）、測定周期（Ｔ）が満了しているか（Ｔｍａｘ）をチェックする（図５ステップＳ７）。測定周期（Ｔ）が満了している場合には、受信品質情報生成部３７にＥ−ＡＧＣＨのＣＲＣ結果及びＰｉｌｏｔ受信品質情報を通知する（図５ステップＳ７）。
【００４７】
次に、受信した物理チャネルがＳＣＣＰＣＨ（ＦＡＣＨ）であった場合には、まずＦＡＣＨデータあり／なしを判断する（図５ステップＳ１０）。ＦＡＣＨデータありの場合には、ＦＡＣＨに付加されているＣＲＣビットのＣＲＣ判定処理を行う（図５ステップＳ１１）。その後、下りデータ受信部３１では、ＣＲＣ  ＯＫ／ＮＧ数をカウントし、受信品質情報生成部３７に通知する（図５ステップＳ１２）。
【００４８】
ＳＣＣＰＣＨにＦＡＣＨデータがない場合でも、ＳＣＣＰＣＨのスロットフォーマット（Ｓｌｏｔ  Ｆｏｒｍａｔ）にパイロット（Ｐｉｌｏｔ）フィールドが含まれるフォーマットが指定された場合には（図５ステップＳ１３）、パイロット受信品質（パイロット誤りビット数をカウント及び受信レベル）を生成し、受信品質情報生成部３７に通知する（図５ステップＳ１４）。但し、スロットフォーマットにパイロットフィールドが含まれない場合には、基地局２からデータ有り時のみの間欠送信となる。
【００４９】
ＲＮＣ１では、Ｅ−ＡＧＣＨのＣＲＣ結果が良好かつＳＣＣＰＣＨのパイロット受信環境が良好の場合に、ＦＡＣＨの送信電力を０．５ｄＢステップで下げる（ステップ幅は初期設定で変更可能とする）。
【００５０】
また、ＲＮＣ１では、Ｅ−ＡＧＣＨのＣＲＣ結果が良好だが、ＳＣＣＰＣＨのパイロット受信環境が悪い場合に、ＦＡＣＨのＣＲＣ結果が良好でもＦＡＣＨの送信電力を変更せず、通知されてくる品質情報を監視する。
【００５１】
さらに、ＲＮＣ１では、ＦＡＣＨのＣＲＣ結果が悪くなる傾向が見えた場合に、ステップサイズで送信電力を上げる処理を行う。尚、送信電力の指定は、移動機３で決定し、通知してもよいものとする（本実施例では、移動機３に必要な情報を通知し、ＲＮＣ１にて送信電力を判断するものとしている）。
【００５２】
Ｅ−ＡＧＣＨでは、移動機３にて許可される電力に関する情報が含まれており、ＥＵＤＣＨを行う移動機３にとっては、Ｅ−ＡＧＣＨを十分なレベルで受信可能とする必要がある。この時、ＭＢＭＳにおいては、ＳＣＣＰＣＨの送信電力制御として、個別チャネルのような送信電力制御が行われておらず、セル境界までカバーできるような電力（一定）で送信することを余儀なくされる。
【００５３】
しかしながら、本実施例では、移動機３側でＥ−ＡＧＣＨの受信状況とＳＣＣＰＣＨの受信状況とを監視し、トラヒック情報として上位装置（ＲＮＣ１）に報告することで、ＳＣＣＰＣＨの送信電力を制御している。この送信電力の制御は、上位装置（ＲＮＣ１）から基地局２にて受信するＩｕｂ  Ｆｒａｍｅ（ＦＡＣＨ）にて指示されるものとする。
【００５４】
ＳＣＣＰＣＨの送信電力は、個別チャネルのような送信電力制御が行われておらず、最初はセル境界までカバーできるような大きな電力（一定）で送信されているが、できるだけ無駄な送信電力を削減するために徐々にＦＡＣＨの電力を落としていくのが望ましい。この送信電力の制御は、上位装置（ＲＮＣ１）から基地局２にて受信するＩｕｂ  Ｆｒａｍｅ（ＦＡＣＨ）にて指示されている。
【００５５】
移動機３では、ＦＡＣＨ受信状況をモニタするとともに、ＥＵＤＣＨで使用されるＥ−ＡＧＣＨの受信状況を考慮した受信品質情報を上位装置（ＲＮＣ１）にフィードバックし、ＦＡＣＨの送信電力制御を行っている。
【００５６】
これによって、本実施例では、受信したＥ−ＡＧＣＨのＣＲＣビットのＯＫ／ＮＧ判定情報を使用して、ＦＡＣＨ自体の受信状況とあわせて、下り受信品質をモニタし、その情報を上位装置（ＲＮＣ１）にフィードバックすることで、ＳＣＣＰＣＨだけの場合に比べて、より正確な受信状況を上位装置（ＲＮＣ１）に通知することができる。
【００５７】
また、本実施例では、制御回路の構成を簡単なカウント処理と受信電力を保存するレジスタもしくはメモリとで対応可能としているので、受信したＥ−ＡＧＣＨのＣＲＣビット及びＦＡＣＨの受信状態を利用して、ＳＣＣＰＣＨの受信品質情報生成部３７を動作させるため、新たに大きな回路変更を行うことなく、本実施例の構成を実現することができる。
【図面の簡単な説明】
【００５８】
【図１】本発明の一実施例による移動体通信システムの構成を示すブロック図である。
【図２】図１に示すＲＮＣ及び基地局の構成を示すブロック図である。
【図３】図１に示す移動機の構成を示すブロック図である。
【図４】ＦＡＣＨのＨｅａｄｅｒ部及びＰａｙｌｏａｄ部の構成を示す図である。
【図５】図３に示す移動機の下りデータ受信部及び受信品質情報生成部の動作を示すフローチャートである。
【符号の説明】
【００５９】
１  ＲＮＣ
２  基地局
３  移動機
１１  無線トラヒック情報取得部
１２  ＦＡＣＨ−ＴＰＬ決定部
１３  ＦＡＣＨデータ送信部
２０，３０  アンテナ部
２１  ＲＡＣＨ受信部
２２  受信部
２３  チャネル復号部
２４  上りＩｕｂ送信部
２５  ＳＣＣＰＣＨ（ＭＢＭＳ）送信部
２６  下りＩｕｂ受信部
２７  ＳＣＣＰＣＨ送信電力制御部
２８  チャネル符号化部
２９  送信部
３１  下りデータ受信部
３２  受信部
３３  チャネル復号部
３４  Ｐｉｌｏｔ判定処理部
３５  ＣＲＣ判定処理部
３６  Ｅ−ＡＧＣＨ処理部
３７  受信品質情報生成部
３８  上りデータ送信部
３９  ＲＡＣＨデータ生成部
４０  チャネル符号化部
４１  送信部
【図１】
2008283321.tif 000003
【図２】
2008283321.tif 000004
【図３】
2008283321.tif 000005
【図４】
2008283321.tif 000006
【図５】
2008283321.tif 000007